(57)【要約】【課題】予め長手方向に対して一定間隔のプリーツ加工のしてある帯状の防水シートを用いて、さらに幅方向への展伸調整用の折返し重ね合せ部を設けてある棟用防水シートの製造装置を提供すること。【解決手段】横手方向折返し重合せ部の形成された多層シートを用いる多層防水シートの製造装置であって、  前記多層防水シートの端部を延伸させながら折り曲げ、当該折り曲げ部で重ね合せる折曲げ部重合せ手段と、  前記折曲げ部重合せ手段で重ね合せた前記多層防水シートの端部であって、前記多層防水シートの延伸した箇所を縮める延伸部調整手段と、を備え、前記折曲げ部重合せ手段と前記延伸部調整手段によって、前記多層防水シートに長手方向折返し重合せ部を形成することを特徴とする多層防水シートの製造装置。【選択図】図５
2015081498.tif 000002
【特許請求の範囲】
【請求項１】
横手方向折返し重合せ部の形成された多層シートを用いる多層防水シートの製造装置であって、
前記多層防水シートの端部を延伸させながら折り曲げ、当該折り曲げ部で重ね合せる折曲げ部重合せ手段と、
前記折曲げ部重合せ手段で重ね合せた前記多層防水シートの端部であって、前記多層防水シートの延伸した箇所を縮める延伸部調整手段と、
を備え、前記折曲げ部重合せ手段と前記延伸部調整手段によって、前記多層防水シートに長手方向折返し重合せ部を形成することを特徴とする多層防水シートの製造装置。
【請求項２】
前記多層防水シートは、塗膜アルミ箔と合成樹脂製フィルムを積層した構造、又はエラストマーシートとアルミ箔を積層した構造の少なくとも一方を有することを特徴とする請求項１に記載の多層防水シートの製造装置。
【請求項３】
前記多層防水シートの製造装置は棟用防水シート製造用の装置であって、
前記折曲げ部重合せ手段は、
横手方向折返し重合せ部の形成された前記多層防水シートに対して、当該長手方向中央部近傍に沿って左右片部の所定位置に上面側凹部の折曲げ部を形成する上面側凹部折曲げ部と、
前記上面側凹部折曲げ部に対して、長手方向折返し重合せ部の重ね合わせ部分に相当する距離を離して設けられると共に、前記多層防水シートに対して下面側の凹部折曲げ部を形成する下面側凹部折曲げ部と、
前記上面側凹部折曲げ部と前記下面側凹部折曲げ部によって形成された長手方向折返し重合せ部を折畳む重合せ部折畳み手段と、
を備え、前記上面側凹部折曲げ部と前記下面側凹部折曲げ部は前記多層防水シートの前記横手方向折返し重合せ部の端部を延伸させることを含んで前記折曲げ部の形成を行うことを特徴とする請求項１又は２に記載の多層防水シートの製造装置。
【請求項４】
前記上面側凹部折曲げ部は、前記多層防水シートの上面側凹部の折返し位置に折り目を付与する上面側凹部折り目付与部と、前記上面側凹部の折返し位置より端部側の前記多層防水シートを展開した状態から直角に折った状態をへて重ねた状態にする上面側凹部形成案内部とを有すると共に、前記上面側凹部形成案内部の長さは前記多層防水シートに形成された横手方向折返し重合せ部を少なくとも３か所分有することを特徴とする請求項３に記載の多層防水シートの製造装置。
【請求項５】
前記下面側凹部折曲げ部は、前記多層防水シートの下面側凹部の折返し位置に折り目を付与する下面側凹部折り目付与部と、前記下面側凹部の折返し位置より端部側の前記多層防水シートを展開した状態から直角に折った状態をへて重ねた状態にする下面側凹部形成案内部とを有すると共に、前記下面側凹部形成案内部の長さは前記多層防水シートに形成された横手方向折返し重合せ部を少なくとも３か所分有することを特徴とする請求項３又は４に記載の多層防水シートの製造装置。
【請求項６】
前記下面側凹部形成案内部は、
前記上面側凹部形成案内部によって前記多層防水シートを大略直角に折った状態の位置において、前記多層防水シートの所定箇所の折り曲げを開始すると共に、
前記上面側凹部形成案内部によって前記多層防水シートを大略重ねた状態の位置において、前記多層防水シートを直角に折った折り曲げ状態とすることを特徴とする請求項５に記載の多層防水シートの製造装置。
【請求項７】
請求項３乃至請求項６のいずれか一項に記載の棟用防水シートの製造装置において、
前記上面側凹部折曲げ部と前記下面側凹部折曲げ部の後段に、前記上面側凹部折曲げ部又は前記下面側凹部折曲げ部の少なくとも一方によって前記多層防水シートの端部が延伸された部分を押え付けて縮める押付ベルト又は押付ローラーを設けたことを特徴とする多層防水シートの製造装置。
【請求項８】
前記多層防水シートの製造装置は壁際用防水シート製造用の装置であって、
前記折曲げ部重合せ手段は、
前記多層防水シートに対して、当該長手方向中央部近傍に沿って屋根側に位置する片部の所定位置に上面側凹部の折曲げ部を形成する上面側凹部折曲げ部と、
前記上面側凹部折曲げ部に対して、長手方向折返し重合せ部の重ね合わせ部分に相当する距離を離して設けられると共に、前記多層防水シートに対して下面側の凹部折曲げ部を形成する下面側凹部折曲げ部と、
前記上面側凹部折曲げ部と前記下面側凹部折曲げ部によって形成された長手方向折返し重合せ部を折畳む重合せ部折畳み手段と、
を備え、前記上面側凹部折曲げ部と前記下面側凹部折曲げ部は前記多層防水シートの前記横手方向折返し重合せ部の端部を延伸させることを含んで前記折曲げ部の形成を行うことを特徴とする請求項１又は２に記載の多層防水シートの製造装置。  
【請求項９】
請求項８に記載の多層防水シートの製造装置において、
前記上面側凹部折曲げ部と前記下面側凹部折曲げ部の後段に、前記上面側凹部折曲げ部又は前記下面側凹部折曲げ部の少なくとも一方によって前記多層防水シートの端部が延伸された部分を押え付けて縮める押付ベルト又は押付ローラーを設けたことを特徴とする多層防水シートの製造装置。
【請求項１０】
塗膜アルミ箔と合成樹脂製フィルムを積層した構造、又はエラストマーシートとアルミ箔を積層した構造の少なくとも一方を有する多層防水シートを用いると共に、横手方向折返し重合せ部の形成された前記多層防水シートを用いる棟用防水シートの製造方法であって、
前記多層防水シートに対して、当該長手方向中央部に沿って左右片部の所定位置に上面側凹部の折曲げ部を形成する工程と、
前記多層防水シートに対して、前記上面側凹部に対して長手方向折返し重合せ部の重ね合わせ部分に相当する距離を離して下面側凹部の折曲げ部を形成する工程と、
前記上面側凹部と前記下面側凹部によって形成された長手方向折返し重合せ部を折畳む工程と、
を備え、前記上面側凹部折曲げ形成工程と前記下面側凹部折曲げ形成工程は前記多層防水シートの前記横手方向折返し重合せ部の端部を延伸させることを含んで前記折曲げ部の形成を行い、
前記重合せ部折畳み工程は、前記多層防水シートの延伸された箇所を縮める延伸部調整を行うことを含むことを特徴とする棟用防水シートの製造方法。
【請求項１１】
塗膜アルミ箔と合成樹脂製フィルムを積層した構造、又はエラストマーシートとアルミ箔を積層した構造の少なくとも一方を有する多層防水シートを用いると共に、横手方向折返し重合せ部の形成された前記多層防水シートを用いる壁際用防水シートの製造方法であって、
前記多層防水シートに対して、これの長手方向中央部近傍に沿って屋根側に位置する片部の所定位置に上面側凹部の折曲げ部を形成する工程と、
前記多層防水シートに対して、前記上面側凹部折曲げ部に対して長手方向折返し重合せ部の重ね合わせ部分に相当する距離を離して下面側凹部の折曲げ部を形成する工程と
前記上面側凹部と前記下面側凹部によって形成された長手方向折返し重合せ部を折畳む工程と、
を備え、前記上面側凹部折曲げ形成工程と前記下面側凹部折曲げ形成工程は前記多層防水シートの前記横手方向折返し重合せ部の端部を延伸させることを含んで前記折曲げ部の形成を行い、
前記重合せ部折畳み工程は、前記多層防水シートの延伸された箇所を縮める延伸部調整を行うことを含むことを特徴とする壁際用防水シートの製造方法。
【発明の詳細な説明】
【技術分野】
【０００１】
本発明は、建造物の屋根のうち棟部の被覆に用いられる棟用防水シートや、壁際の被覆に用いられる壁際用の防水シートの製造方法に関し、特に複雑な形状の被覆領域に対しても非常に長期間に渡って保形性と防水性を維持できる棟用又は壁際用の防水シートの製造装置及び製造方法に関する。
【背景技術】
【０００２】
従来の日本における木造一戸建て住宅や土蔵等の木造建築物においては、瓦屋根の棟部や壁まわりに使用する面戸材として、石灰と砂と粘土等を混練した、屋根土が一般的に用いられている。しかし、屋根土を用いた湿式施工においては、屋根土が施工に作業者の技能と施工時間を要すると共に、重量物であるため、木造建築物の耐震性を弱める原因となっていた。また、良質の粘土が長年の採掘によって掘り尽くされてきており、原材料の手配が困難になりつつある。
【０００３】
そこで、屋根土を用いない乾式施工が提案されている。このような乾式施工としては、次のものが提案されている。例えばドイツのように日本と比較して寒冷な地域では、暖房のための暖炉の煙突が屋根から突出した形態となるため、瓦屋根と煙突との接合部に、ポリイソブチレン樹脂とアルミの金属網を積層した壁際用の防水シートを使用することが提案されている（特許文献１）。また、棟用の屋根用防水シートとして、ＰＥＴ（Ｐｏｌｙｅｔｈｙｌｅｎｅ
ｔｅｒｅｐｈｔｈａｌａｔｅ・ポリエチレンテレフタラート）樹脂とアルミ箔を貼り合わせた通気性を有する棟用の防水シートを使用することが提案されている（特許文献２）。
【０００４】
そして、特許文献２で開示されている防水シートでは、長手方向へのプリーツ加工による延伸と、切込みを入れたことで横手方向への延伸を可能にした防水シートは、様々な棟の高さの差異に対応できるように横手（幅）方向に広いシートとなっている。そこで、欧州のキリスト教文化圏のように住宅の屋根形状や色彩が地域の建築規制によって統一されている場合や、日本のプレハブ住宅のように画一化された量産型住宅には適している。
【０００５】
しかし、日本の在来型建築物は注文主の個性が出現しやすい類型であり、また地域の特性に応じた建築物類型が存在すると共に、建築物においては敷地形状と建築基準法や都市計画法による建築規制があり、現実に建築される木造建築物は多様な個性を有しているのが実情である。そこで、屋根形状も区々となり、設置時に作業者が現場の棟包の内側に納まるよう、防水シートの折り曲げ作業が必要であった。また、強風を伴う雨が切込みによる開口部を介して、直接繊維部分に当たる可能性があるため、切込み部から建築物の屋根の内側に浸水の蓋然性が存在していた。
【０００６】
そこで、本出願人は、特許文献３、４で日本家屋の多様性に適合した棟用防水シートを提案している。また、特許文献５では壁際用防水シートを提案している。このような、棟用防水シートや壁際用防水シートによれば、様々な意匠の屋根材や屋根勾配に応じて、現場の状況に応じた高さの調整ができる。また、屋根の棟や壁際は一般的に作業者が手で屋根材の凹凸に沿わせて施工するが、上記特許文献３、４、５の防水シートによれば、木槌などで軽く叩いて防水シートを整形することが容易に行える。
【０００７】
そして、上記特許文献３、４、５の防水シートの製造効率を高めることが必要である。この場合、洋風瓦の製造に関しては、特許文献６に示すような製造技術が提案されている。洋風瓦においては、波型の形状を正確に形成して、隣接する瓦との重なり合い部での重なりが正確に維持できるように製造することが肝要である。しかし、上記防水シートの製造に当たっては、瓦のような剛体物ではなく、瓦の波型形状に適合するように環境適応性のある柔軟な防水シートの製造であるため、特許文献６の装置を直接使用することは妥当でない。
【先行技術文献】
【特許文献】
【０００８】
【特許文献１】ＤＥ  ３６４２０６３Ａ１
【特許文献２】ＷＯ２００４／０２２８７８Ａ１
【特許文献３】特許第４３８４７２５号
【特許文献４】特許第４９２５２２２号
【特許文献５】特許第４９２５２２１号
【特許文献６】ＵＳＰ７８７１５５２Ｂ２
【発明の開示】
【発明が解決しようとする課題】
【０００９】
また、上記特許文献３、４、５の防水シートでは、エラストラマーをアルミ箔シートに積層して用いているため、プリーツ加工の際に加熱温度が８０℃程度しか許容されないため、量産性に欠けるという課題があった。また、エラストラマーは、顔料の混和に制約が大きいため、実質的に黒のみしか選択できないため、外装材として制約が大きくなるという課題が存在している。
【００１０】
本発明は上述した課題を解決するもので、本発明は、予め長手方向に対して一定間隔のプリーツ加工のしてある帯状の防水シートを用いて、さらに幅方向への展伸調整用の折返し重ね合せ部を設けてある棟用又は壁際用の防水シートの製造装置及び製造方法を提供することを目的とする。
【課題を解決するための手段】
【００１１】
上記課題を解決する本発明の多層防水シートの製造装置は、横手方向折返し重合せ部の形成された多層シートを用いる多層防水シートの製造装置であって、多層防水シート５の端部を延伸させながら折り曲げ、当該折り曲げ部で重ね合せる折曲げ部重合せ手段と、前記折曲げ部重合せ手段で重ね合せた多層防水シート５の端部であって、多層防水シート５の延伸した箇所を縮める延伸部調整手段とを備え、前記折曲げ部重合せ手段と前記延伸部調整手段によって、多層防水シート５に長手方向折返し重合せ部を形成することを特徴とする。
本発明の棟用防水シートの製造装置において、例えば図１に示すように、好ましくは、多層防水シート５は、塗膜アルミ箔と合成樹脂製フィルムを積層した構造、又はエラストマーシートとアルミ箔を積層した構造の少なくとも一方を有するとよい。
【００１２】
本発明の多層防水シートの製造装置において、例えば図２、図５に示すように、多層防水シートの製造装置は棟用防水シート製造用の装置であって、前記折曲げ部重合せ手段は、横手方向折返し重合せ部の形成された多層防水シート５に対して、当該長手方向中央部近傍に沿って左右片部の所定位置に上面側凹部の折曲げ部を形成する上面側凹部折曲げ部６６と、上面側凹部折曲げ部６６に対して、長手方向折返し重合せ部の重ね合わせ部分に相当する距離を離して設けられると共に、前記多層防水シートに対して下面側の凹部折曲げ部を形成する下面側凹部折曲げ部６８と、上面側凹部折曲げ部６６と下面側凹部折曲げ部６８によって形成された長手方向折返し重合せ部を折畳む手段とを備え、上面側凹部折曲げ部６６と下面側凹部折曲げ部６８は多層防水シート５の横手方向折返し重合せ部の端部を延伸させることを含んで前記折曲げ部の形成を行うことを特徴とする。
【００１３】
本発明の多層防水シートの製造装置において、上面側凹部折曲げ部６６は、多層防水シート５の上面側凹部の折返し位置に折り目を付与する上面側凹部折り目付与部６４ａと、前記上面側凹部の折返し位置より端部側の多層防水シート５を展開した状態から直角に折った状態をへて重ねた状態にする上面側凹部形成案内部（６６ａ、６６ｂ）とを有すると共に、前記上面側凹部形成案内部の長さは多層防水シート５に形成された横手方向折返し重合せ部を少なくとも３か所分有するとよい。
【００１４】
本発明の多層防水シートの製造装置において、下面側凹部折曲げ部６８は、多層防水シート５の下面側凹部の折返し位置に折り目を付与する下面側凹部折り目付与部６４ｂと、前記下面側凹部の折返し位置より端部側の多層防水シート５を展開した状態から直角に折った状態をへて重ねた状態にする下面側凹部形成案内部（６８ａ、６８ｂ）とを有すると共に、前記下面側凹部形成案内部の長さは多層防水シート５に形成された横手方向折返し重合せ部を少なくとも３か所分有するとよい。
【００１５】
本発明の多層防水シートの製造装置において、下面側凹部形成案内部（６８ａ、６８ｂ）は、上面側凹部形成案内部６６ａによって多層防水シート５を大略直角に折った状態の位置において、多層防水シート５の所定箇所の折り曲げを開始すると共に、上面側凹部形成案内部６６ｂによって多層防水シート５を大略重ねた状態の位置において、多層防水シート５を直角に折った折り曲げ状態とすることを特徴とする。ここで、前記多層防水シートの所定箇所の折り曲げとは、多層防水シート５の下面側凹部の折返し位置より端部側の部位を折り曲げることをいう。また多層防水シート５を大略重ねた状態とは、多層防水シート５を大略コの形状に成形した状態をいい、大略コの形状に折り曲げた箇所から適宜の距離離れた位置では、多層防水シート５が折り曲げられて重ねた状態となることをいう。この適宜の距離は、例えば現実の施工を考慮して３ｍｍ〜５０ｍｍの距離とすると良い。
本発明の多層防水シートの製造装置において、好ましくは、上面側凹部折曲げ部６６と下面側凹部折曲げ部６８の後段に、押付ベルトや押付ローラーを設けるとよい。この押付ベルトや押付ローラーは、これら凹部折曲げ部６６、６８によって多層防水シート５の端部が延伸された部分を押え付けて縮める。
【００１６】
上記課題を解決する本発明の多層防水シートの製造装置において、例えば図８に示すように、多層防水シートの製造装置は壁際用防水シート製造用の装置であって、前記折曲げ部重合せ手段は、多層防水シート５に対して、当該長手方向中央部近傍に沿って屋根側に位置する片部の所定位置に上面側凹部の折曲げ部を形成する上面側凹部折曲げ部８６と、上面側凹部折曲げ部８６に対して、長手方向折返し重合せ部の重ね合わせ部分に相当する距離を離して設けられると共に、多層防水シート５に対して下面側の凹部折曲げ部を形成する下面側凹部折曲げ部８８と、上面側凹部折曲げ部８６と下面側凹部折曲げ部８８によって形成された長手方向折返し重合せ部を折畳む手段とを備え、上面側凹部折曲げ部８６と下面側凹部折曲げ部８８は多層防水シート５の横手方向折返し重合せ部の端部を延伸させることを含んで前記折曲げ部の形成を行うことを特徴とする。
本発明の多層防水シートの製造装置において、好ましくは、上面側凹部折曲げ部８６と下面側凹部折曲げ部８８の後段に、押付ベルトや押付ローラーを設けるとよい。この押付ベルトや押付ローラーは、これら凹部折曲げ部８６、８８によって多層防水シート５の端部が延伸された部分を押え付けて縮める。
【００１７】
上記課題を解決する本発明の棟用防水シートの製造方法は、例えば図７に示すように、塗膜アルミ箔と合成樹脂製フィルムを積層した構造、又はエラストマーシートとアルミ箔を積層した構造の少なくとも一方を有する多層防水シートを用いる（Ｓ１０２）と共に、横手方向折返し重合せ部の形成された多層防水シート５を用いる（Ｓ１０４）棟用防水シートの製造方法であって、次の工程を有することを特徴とする。即ち、多層防水シート５に対して、当該長手方向中央部に沿って左右片部の所定位置に上面側凹部の折曲げ部を形成する工程（Ｓ１０６）と、多層防水シート５に対して、前記上面側凹部に対して長手方向折返し重合せ部の重ね合わせ部分に相当する距離を離して下面側凹部の折曲げ部を形成する工程（Ｓ１０８）と、前記上面側凹部と前記下面側凹部によって形成された長手方向折返し重合せ部を折畳む重合せ部折畳み工程（Ｓ１１０）とを備える。そして、前記上面側凹部折曲げ形成工程と前記下面側凹部折曲げ形成工程は多層防水シート５の前記横手方向折返し重合せ部の端部を延伸させることを含んで前記折曲げ部の形成を行い、前記重合せ部折畳み工程は、多層防水シート５の延伸された箇所を縮める延伸部調整を行うことを含むことを特徴とする。好ましくは、折曲げ部を形成する工程と重合せ部折畳み工程との間に、折曲げ部を形成する工程で生じた多層防水シート５の端部が延伸された部分を押え付けて縮める工程を設けると良い。
【００１８】
上記課題を解決する本発明の壁際用防水シートの製造方法は、例えば図９に示すように、塗膜アルミ箔と合成樹脂製フィルムを積層した構造、又はエラストマーシートとアルミ箔を積層した構造の少なくとも一方を有する多層防水シートを用いる（Ｓ２０２）と共に、横手方向折返し重合せ部の形成された多層防水シート５を用いる（Ｓ２０４）壁際用防水シートの製造方法であって、次の工程を有することを特徴とする。即ち、多層防水シート５に対して、これの長手方向中央部近傍に沿って屋根側に位置する片部の所定位置に上面側凹部の折曲げ部を形成する工程（Ｓ２０６）と、多層防水シート５に対して、上面側凹部折曲げ部８６に対して長手方向折返し重合せ部の重ね合わせ部分に相当する距離を離して下面側凹部の折曲げ部を形成する工程（Ｓ２０８）と、上面側凹部と下面側凹部によって形成された長手方向折返し重合せ部を折畳む重合せ部折畳み工程（Ｓ２１０）とを備える。そして、前記上面側凹部折曲げ形成工程と前記下面側凹部折曲げ形成工程は多層防水シート５の前記横手方向折返し重合せ部の端部を延伸させることを含んで前記折曲げ部の形成を行ない、前記重合せ部折畳み工程は、多層防水シート５の延伸された箇所を縮める延伸部調整を行うことを含むことを特徴とする。好ましくは、折曲げ部を形成する工程と重合せ部折畳み工程との間に、折曲げ部を形成する工程で生じた多層防水シート５の端部が延伸された部分を押え付けて縮める工程を設けると良い。
【発明の効果】
【００１９】
本発明の多層防水シートの製造装置によれば、予め長手方向に対して一定間隔のプリーツ加工のしてある帯状の防水シートを用いて、さらに幅方向への展伸調整用の折返し重ね合せ部を設けてある多層防水シートが均一な品質で連続的に製造でき、製造効率が格段に向上するという効果がある。
また、本発明の棟用又は壁際用の多層防水シートの製造方法によれば、予め長手方向に対して一定間隔のプリーツ加工のしてある帯状の防水シートを用いて、さらに幅方向への展伸調整用の折返し重ね合せ部を設けてある棟用又は壁際用の防水シートが均一な品質で連続的に製造でき、製造効率が格段に向上するという効果がある。
更に、棟用又は壁際用の防水シートにエラストラマーに代えて耐熱性の高い合成樹脂製フィルムを用いてアルミ箔シートに積層すると、本発明の前工程であるプリーツ加工の際に加熱温度が１５０℃ないし１８０℃程度の温度が使用でき、プリーツ加工の際に摘みが上手く行われ、皺付け作業が円滑に行われて量産性が高まる。
また、棟用又は壁際用の防水シートにエラストラマーに代えて耐熱性の高い合成樹脂製フィルムを用いてアルミ箔シートに積層すると共に、合成樹脂製フィルムを上面側にすると、顔料の混和に制約が少なくなり、朱色、青色、黄色などの各種の色彩や色つき模様が選択でき、外装材として汎用性が高まる。
【図面の簡単な説明】
【００２０】
【図１】本発明の棟用防水シートに用いられる多層防水シートの拡大断面図である。
【図２】屋根用防水シートの構成図で、（ａ）は屋根用防水シートについて（ｂ）のＡ−Ａ方向の断面図、（ｂ）は屋根用防水シートの構成斜視図である。
【図３】棟用防水シートの一形態を説明する構成図で、（ａ）は上面から見た平面図、（ｂ）は図３（ａ）のｂ−ｂ方向から見た横手方向断面図、（ｃ）は下面から見た底面図、（ｄ）は図３（ａ）ｄ−ｄ方向から見た側面図である。
【図４】壁際用防水シートの一形態を説明する構成図で、（ａ）は上面から見た平面図、（ｂ）は図４（ａ）のｂ−ｂ方向から見た横手方向断面図、（ｃ）は下面から見た底面図、（ｄ）は図４（ａ）ｄ−ｄ方向から見た側面図である。
【図５】本発明の棟用防水シートの製造装置の要部構成斜視図で、防水シートを装着していない状態を示している。
【図６】本発明の棟用防水シートの製造装置の要部構成斜視図で、防水シートを装着している状態を示している。
【図７】本発明の棟用防水シートの製造方法を説明する流れ図である。
【図８】本発明の壁際用防水シートの製造装置の要部構成斜視図である。
【図９】本発明の壁際用防水シートの製造方法を説明する流れ図である。
【発明を実施するための最良の形態】
【００２１】
以下、図面によって本発明の実施の形態について説明する。まず、多層防水シートを説明する。
【００２２】
図１は、本発明の棟用防水シートに用いられる多層防水シートを説明する構成図で、（ａ）は多層防水シートの断面図、（ｂ）は予め横手方向折返し重合せ部の形成された状態の平面図である。図１（ａ）において、多層防水シート５は、焼付樹脂系塗料１、アルミ箔２、接着剤３、合成樹脂製フィルム４の四層構造になっている。ここで、焼付樹脂系塗料１は、耐引裂性を考慮し、エポキシ樹脂系塗料の塗布厚を２μｍ〜２０μｍ、好ましくは３μｍ〜１０μｍ、特に好ましくは５μｍ程度を焼付け加工するのがよい。塗布厚が２μｍ未満であれば、十分な耐久性や耐食性の向上が得られない。塗布厚が２０μｍを超えると、塗布回数が増大して製造効率が低下する。焼付樹脂系塗料１は、多層防水シートの屋根装着時の表側に設けられるので、顔料を適切に選択することで多様な色彩や模様を選択できる。焼付樹脂系塗料１は、更にアルミ箔２の表面への加工について、耐引裂性を考慮して定められる。焼付樹脂系塗料１には、エポキシ樹脂系塗料またはアクリル樹脂系塗料、または近年では住宅の長寿命化を図るため、耐久性が特に重要視されることから、シリコン系またはフッ素樹脂系塗料が現実的である。また、ポリウレタン系、塩化ゴム系、塩化ビニール系などでもよい。
【００２３】
アルミ箔２は、作業者が手加工により成形するため、軟質アルミニウムであり、厚みが４０μｍ〜１２０μｍ（好ましくは６０μｍ）程度が好ましい。アルミ箔２の厚みは、貼り合せられる合成樹脂製フィルム４の厚さと熱収縮力、作業者が多層防水シートを屋根材の凹凸に対応できるように変形する場合の作業性、並びに多層防水シートを製造するために用いる織り機の能力により定まる。そして、アルミ箔２の厚みの下限側は、次の要件により定まる。
【００２４】
（ｉ）アルミ箔２と合成樹脂製フィルム４とを貼り合わせる工程における巻き巣の発生頻度。
（ｉｉ）アルミ箔２が合成樹脂製フィルム４を積層固定する力に対し、列理方向への熱収縮力が大きくなり、合成樹脂製フィルム４がアルミ箔２から剥離してしまうこと。
（ｉｉｉ）アルミ箔２が形状を保持する力に対し、列理方向への熱収縮力が大きくなり、アルミ箔２が表面側に丸まってしまうこと。
（ｉｖ）アルミ箔２が実際に施工される現場における、風力で変形しない保持力（保形性）。
【００２５】
他方、アルミ箔の厚さの上限は、作業者が多層防水シートを手加工で屋根材の凹凸に対応できるように変形できる程度の低剛性が必要である。さらに、アルミ箔２と合成樹脂製フィルム４の厚さは、多層防水シートを製造するために用いる織り機で織ることができる剛性である必要がある。これら三要件を充足するアルミ箔２の厚さとしては、４０μｍ〜１２０μｍが好ましい。
【００２６】
接着剤３は、アルミ箔２と合成樹脂製フィルム４の二層間の接着に用いられる。接着剤３により、二層間に起こる折り返した部位の応力を緩和でき、より折り曲げ加工性に富むシートが得られる。アルミ箔２と合成樹脂製フィルム４の二層間の接着には、ドライラミネーションと呼ばれる加工法で接着される。ドライラミネーションは、接着剤を有機溶剤で適当な粘度に希釈してフィルムに塗布し、乾燥後もう一方のフィルムと圧着して貼り合わせる方法である。接着剤３には、ポリエステル系接着剤、ポリエーテル系接着剤などがあり、耐熱性、耐薬品性、深絞り適性など、使用する接着剤の特性でラミネートフイルムの性能も決まる。
【００２７】
ドライラミネートには、有機溶剤で希釈する一般的な方法と、有機溶剤を使用しないで、加熱によって適当な粘度に調節後塗布する無溶剤タイプがある。また最近ではエマルジョンタイプ（水の中に接着剤を分散した水性タイプ）もある。
【００２８】
合成樹脂製フィルム４には、例えばＰＥＴ、ナイロン樹脂、塩化ビニールのような耐熱性が１５０℃以上ある合成樹脂であって、耐候性と耐引裂性の高い材料を用いる。合成樹脂製フィルム４の厚さは、１０μｍ〜８０μｍが好ましい。合成樹脂製フィルム４の厚さが８０μｍを超えると、次の理由により、製造効率が低下する。
（ｉ）貼り合わせ工程における巻き巣が起こりやすくなる。
（ｉｉ）アルミ箔２が合成樹脂製フィルム４を積層固定する力（β）に対し、列理方向への熱収縮力（α）が大きくなり、合成樹脂製フィルム４がアルミ箔２から剥離してしまう。
（ｉｉｉ）アルミ箔２が形状を保持する力（γ）に対し、列理方向への熱収縮力（α）が大きくなり、アルミ箔２が表面側に丸まってしまう。
（ｉｖ）多層シート自体が硬くなるため、皺加工（プリーツ加工）の歩留まりと出来高が悪化する。
他方で、合成樹脂製フィルム４の厚さが１０μｍ未満の場合は、棟用防水シートとして２５年から５０年程度の長期間の使用において、耐候性と耐引裂性が確保できなくなる。
【００２９】
合成樹脂製フィルム４とアルミ箔２の厚さ決定は、熱収縮性の条件を満たし、且つ織り機で織ることができ、且つ作業者が手加工で屋根材の凹凸に対応できる必要がある。
【００３０】
続いて、本発明で製造対象となる棟用防水シートや壁際用防水シートに用いられる屋根用防水シートを説明する。屋根用防水シートには、予め横手方向折返し重合せ部が形成された多層防水シート５を用いる（図１（ｂ）参照）。これに、長手方向折返し重合せ部に加工して、棟用防水シートや壁際用防水シートを製造する。
【００３１】
続いて、本発明の棟用防水シートに用いられる屋根用防水シートを説明する。図２は屋根用防水シートの構成図で、図２（ａ）は屋根用防水シートについて図２（ｂ）のＡ−Ａ方向の断面図、図２（ｂ）は屋根用防水シートの構成斜視図である。
【００３２】
図において、屋根用防水シート１０は、多層防水シート５を例えば図２（ｂ）に示すように、この多層防水シート５の長手方向（Length direction）の途中に該長手方向と直交する横手方向（Transverse direction）にわたって横手方向折返し重合せ部Ｔを形成し、該長手方向にわたって長手方向折返し重合せ部Ｌを形成した二方向折り重ね状態としている。
【００３３】
図２（ａ）、（ｂ）に示すように、横手方向折返し重合せ部Ｔの間隔Ｌｐは、屋根形状の凸凹形状の複雑さに対応するため、適宜に定める。また、横手方向折返し重合せ部Ｔが存在するため、屋根用防水シート１０は、上段屋根用防水シート部１０１、上段折曲げ部１０２、折返し屋根用防水シート部１０３、下段折曲げ部１０４、下段屋根用防水シート部１０５、連結屋根用防水シート部１０６を有している。そして、折返し屋根用防水シート部１０３を展開すると、上段屋根用防水シート部１０１と下段屋根用防水シート部１０５との間隔が、折返し屋根用防水シート部１０３の長手方向長さＬ１０３の二倍の範囲で調整できる。長手方向折返し重合せ部Ｌの間隔Ｌｐに適合するように、長手側折返し屋根用防水シート部１０３の長手方向長さＬ１０３と長手側連結屋根用防水シート部１０６の長手方向長さＬ１０６が定められる。
【００３４】
また、図２（ｂ）に示すように、長手方向折返し重合せ部Ｌが存在するため、屋根用防水シート１０は、長手延伸側上段屋根用防水シート部１２１、長手延伸側上段折曲げ部１２２、長手延伸側折返し屋根用防水シート部１２３、長手延伸側下段折曲げ部１２４、長手延伸側下段屋根用防水シート部１２５を有している。そして、長手延伸側折返し屋根用防水シート部１２３を展開すると、長手延伸側上段屋根用防水シート部１２１と長手延伸側下段屋根用防水シート部１２５との間隔が、長手延伸側折返し屋根用防水シート部１２３の横手方向長さＴ１２３の二倍の範囲で調整できる。
【００３５】
横手方向折返し重合せ部Ｔは、屋根材の凹凸に馴染ませるように貼り付けるため、横手方向折返し重合せ部Ｔを連続して設け、横手方向折返し重合せ部Ｔ同士の間隔Ｌｐと延伸率Ｅｘｐｔは、主に被覆対象となる屋根材の凹凸に応じた適宜の価とすることが好ましい。ここで、横手方向折返し重合せ部Ｔの延伸率Ｅｘｐｔは、例えば次式で定義することができる。
Ｅｘｐｔ＝（Ｌｐ＋２Ｌ１０３）／Ｌｐ
（１）
【００３６】
長手方向折返し重合せ部Ｌは、主に被覆対象となる屋根材の段差のような凸凹形状に適合するように長手方向に延伸させるため、長手延伸側折返し屋根用防水シート部１２３を適宜の長さ確保することが好ましい。ここで、長手方向折返し重合せ部Ｌの延伸率Ｅｘｐｌは、例えば屋根用防水シート１０の横手方向の長さＴａｌｌを用いて次式で定義することができる。
Ｅｘｐｌ＝（Ｔａｌｌ＋２Ｔ１２３）／Ｔａｌｌ
（２）
【００３７】
本発明の屋根用防水シートによれば、当該二方向折り重ね状態の多層防水シートを用いているので、横手方向折返し重合せ部Ｔを延伸することで、屋根材の凹凸に対応できると共に、長手方向折返し重合せ部Ｌを延伸することで、屋根材の段差への対応だけでなく、屋根材の段差による隙間に対して水返しの役目も果たす。また、作業者にとっても、横手方向への薄手の合成樹脂製フィルム４の弾性とアルミ箔２の保形性を有するシートのため、手に馴染みやすいため、施工不良が起き難く、施工時間の短縮につながる。
【００３８】
続いて、本発明の製造対象である棟用防水シートを説明する。図３は、棟用防水シートの一実施の形態を説明する構成図で、（ａ）は屋根装着時の表側から見た平面図、（ｂ）は図３（ａ）のｂ−ｂ方向から見た横手方向断面図、（ｃ）は屋根装着時の裏側から見た底面図、（ｄ）は図３（ａ）ｄ−ｄ方向から見た側面図である。二方向折り重ね状態の屋根用防水シート１０に用いる多層防水シート５には、横手方向折返し重合せ部Ｔと長手方向折返し重合せ部Ｌとを形成した二方向折り重ね状態のものを用いているので、棟用防水シート２０は長手方向だけでなく横手方向にも延伸性を有する。
【００３９】
図において、棟用防水シート２０は、屋根用防水シート１０を棟部用に適宜の形状にして用いると共に、粘着テープ２５、剥離紙２６、釘穴シール性シート部２７を有している。図３（ａ）に示すように、棟用防水シート２０は、釘穴シール性シート部２７を介して左右対称の形状を有している。棟用防水シート２０には、長手方向折返し重合せ部Ｌが釘穴シール性シート部２７に沿って左右に夫々二箇所設けられている。長手方向折返し重合せ部Ｌが存在するため、棟用防水シート２０は、上段棟用防水シート部２０１、上段折曲げ部２０２、折返し棟用防水シート部２０３、下段折曲げ部２０４、下段棟用防水シート部２０５を左右対称に有している。また、図３（ｃ）に示すように、折り目部２０６は、棟用防水シート２０の屋根装着時の裏側に現れており、釘穴シール性シート部２７と上段棟用防水シート部２０１との位置合わせ部位である。典型的な棟用防水シート２０の形状は、横手方向に関しては、釘穴シール性シート部２７の長さＴ２７と、折返し棟用防水シート部２０３を折り重ねた状態での上段棟用防水シート部２０１と下段棟用防水シート部２０５との両端の間隔Ｔｒ，Ｔｌを用いて、（Ｔｒ＋Ｔ２７＋Ｔｌ）となっている。他方、棟用防水シート２０の長手方向の長さＬａｌｌは、棟の長さや棟用防水シート２０の全体重量と作業性の観点から、適宜に定める。
【００４０】
粘着テープ２５は、ブチルまたはＥＰＤＭが好ましい。壁際用簡便施工装置の長手方向の裾部Ｍに幅１０ｍｍ〜５０ｍｍ（好ましくは３０ｍｍ）装着することが好ましい。釘穴シール性シート部２７には、例えばポリプロピレンの不織布またはルーフィングと同質材を用いる。
【００４１】
横手方向折返し重合せ部Ｔは、屋根材の凹凸に馴染ませるように貼り付けるため、折返し重合せ部Ｔを連続して設け、折返し重合せ部Ｔ同士の間隔Ｌｐは６ｍｍ〜１８ｍｍであり、延伸率Ｅｘｐｔが１４０％〜１６０％であることが好ましい。長手方向折返し重合せ部Ｌは、主に屋根材の谷部に沿うように長手方向に延伸させるため、折返し棟用防水シート部２０３の横手方向の長さＴ２０３を２０ｍｍ〜４０ｍｍ確保することが好ましい。
【００４２】
続いて、本発明の製造対象である壁際用防水シートを説明する。図４は、本発明にかかる壁際用防水シートの一実施の形態を説明する構成図で、（ａ）は屋根装着時の表側から見た平面図、（ｂ）は図４（ａ）のｂ−ｂ方向から見た横手方向断面図、（ｃ）は屋根装着時の裏側から見た底面図、（ｄ）は図４（ａ）ｄ−ｄ方向から見た側面図である。二方向折り重ね状態の屋根用防水シート１０に用いる多層防水シート５には、横手方向折返し重合せ部Ｔと長手方向折返し重合せ部Ｌとを形成した二方向折り重ね状態のものを用いているので、壁際用防水シート４０は長手方向だけでなく横手方向にも延伸性を有する。
【００４３】
図において、壁際用防水シート４０は、屋根用防水シート１０を壁際用に適宜の形状にして用いると共に、粘着テープ（壁面側）４５、剥離紙（壁面側）４６、粘着テープ（裾部側）４７、剥離紙（裾部側）４８を有している。図４（ｂ）に示すように、壁際用防水シート４０は、折り目部４９を介して左右非対称の形状を有している。壁際用防水シート４０には、長手方向折返し重合せ部Ｌが折り目部４９の裾部側に一箇所設けられている。長手方向折返し重合せ部Ｌが存在するため、壁際用防水シート４０は、折り目部４０６を境界として壁当接側防水シート部４０７と屋根当接側防水シート部４０８とで構成される。屋根当接側防水シート部４０８は、上段壁際用防水シート部４０１、上段折曲げ部４０２、折返し壁際用防水シート部４０３、下段折曲げ部４０４、下段壁際用防水シート部４０５を有している。壁当接側防水シート部４０７は、上段壁際用防水シート部４０１と同等の部材が、折り目部４９から粘着テープ（壁面側）４５まで延ばされた部位である。
【００４４】
また、図４（ａ）、（ｃ）に示すように、折り目部４０６は、壁際用防水シート４０の上下両面に現れている。典型的な壁際用防水シート４０の形状は、横手方向に関しては、壁当接側防水シート部４０７に対応する、折り目部４９から粘着テープ（壁面側）４５までの長さＴＲと、屋根当接側防水シート部４０８に対応する折り目部４９から粘着テープ（裾部側）４７までの長さＴＬとを用いて、（ＴＲ＋ＴＬ）となっている。ここで、粘着テープ（裾部側）４７の幅Ｔ４７、粘着テープ（裾部側）４７から上段折曲げ部４０２までの間隔Ｔ４０２、上段折曲げ部４０２から下段折曲げ部４０４までの間隔、即ち大略折返し壁際用防水シート部４０３の幅Ｔ４０３，下段折曲げ部４０４から折り目部４９までの間隔Ｔ４０４を用いると、次式が成立する。
ＴＬ＝Ｔ４７＋Ｔ４０２＋Ｔ４０３＋Ｔ４０４
（３）
【００４５】
粘着テープ４５、４７は、材料としてブチルまたはＥＰＤＭが好ましい。粘着テープ４５、４７は、壁際用防水シートの長手方向の裾部４４と、この裾部４４と反対側の縁に位置する壁面側に、幅１０ｍｍ〜５０ｍｍ（好ましくは３０ｍｍ）装着することが好ましい。横手方向折返し重合せ部Ｔは、屋根材の凹凸に馴染ませるように貼り付けるため、折返し重合せ部Ｔを連続して設け、折返し重合せ部Ｔ同士の間隔Ｌｐは６ｍｍ〜１８ｍｍであり、延伸率Ｅｘｐｔが１４０％〜１６０％であることが好ましい。長手方向折返し重合せ部Ｌは、主に屋根材の谷部に沿うように長手方向に延伸させるため、折返し壁際用防水シート部４０３の横手方向の長さＴ４０３を２０ｍｍ〜４０ｍｍ確保することが好ましい。
【００４６】
本発明の壁際用防水シートによれば、屋根用防水シート１０を壁際用に適宜の形状に裁断しているので、横手方向折返し重合せ部Ｔを延伸することで、屋根材の凹凸に対応できると共に、長手方向折返し重合せ部Ｌを延伸することで、屋根材の段差への対応だけでなく、水返しの役目も果たす。
また、作業者にとっても、横手方向への薄手の合成樹脂製フィルム４の弾性とアルミ箔２の保形性を有するシートのため、手に馴染みやすいため、施工不良の発生が防止でき、施工時間の短縮につながる。
【００４７】
次に、本発明の棟用防水シートの製造装置について説明する。
図５は本発明の棟用防水シートの製造装置の要部構成斜視図で、防水シートを装着していない状態を示している。図６は本発明の棟用防水シートの製造装置の要部構成斜視図で、防水シートを装着している状態を示している。図において、棟用防水シートの製造装置６０は、長手方向折目付けロール６４、上面側凹部折曲げ部６６、下面側凹部折曲げ部６８を備える共に、製造ラインを構成するフレーム構造として上流側幅方向フレーム６１、下流側幅方向フレーム６２、駆動ベルト案内フレーム６３、シート送りフレーム６５が設けられている。また、この棟用防水シートの製造装置６０の上流側には防水シート供給部（図示せず）が設けられ、下流側には折畳み部（図示せず）と端処理部（図示せず）を備えている。
なお、屋根装着時の表側は製造時の上面、屋根装着時の裏側は製造時の下面に対応している。即ち、本発明の製造装置では、製造時の上面下面は、屋根装着時の表裏面とは裏返しとなっている。
【００４８】
防水シート供給部は、予め長手方向に対して一定間隔のプリーツ加工のしてある帯状防水シート３０を装着する部材、例えばロールを有するもので、このロールに装着された帯状防水シート３０を棟用防水シートの製造ラインに供給する。帯状防水シート３０は、プリーツマシン等によって多層防水シート５によって対して皺付けを行ったものが用いられる。プリーツマシンは布地の皺付けに用いられるもので、例えばスカートやカーテンの製造に用いられるものであり、皺の深さや間隔を調整できる構造になっている。また、プリーツマシンに比較して製造効率を高める為に、皺付け用の歯車を用いた皺付け加工ラインを用いてもよい。帯状防水シート３０は、プリーツマシンでの皺付け効率を高める為に、棟用防水シートの幅に対して２倍幅や３倍幅のものを用いると共に、皺付け後に裁断して棟用防水シートの幅に適合させるとよい。このプリーツ加工や皺付けによって、多層防水シート５に、横手方向折返し重合せ部が形成される。
【００４９】
長手方向折目付けロール６４ａ、６４ｂは、帯状防水シート３０における上面側凹部と下面側凹部の折目となる位置に応じて其々設けられている。上面側凹部用の長手方向折目付けロール６４ａは、帯状防水シート３０の上面側に接触する位置に設けられた凸部を有する。下面側凹部用の長手方向折目付けロール６４ｂは、帯状防水シート３０の下面側に接触する位置に設けられた凸部を有する。凸部の形状は、帯状防水シート３０に折目を付けるのに適した形状であればよく、例えば突起量として２ｍｍ〜１０ｍｍ程度に定める。長手方向折目付けロール６４ａ、６４ｂは、帯状防水シート３０の送りロールを兼ねている。
【００５０】
上面側凹部折曲げ部６６は、横手方向折返し重合せ部の形成された帯状防水シート３０に対して、当該長手方向中央部近傍に沿って左右片部の所定位置に上面側凹部の折曲げ部を形成するものである。ここでは上面側凹部折目を境として、帯状防水シート３０の中央側の姿勢はそのままとし、帯状防水シート３０の端側の姿勢を展開した状態から直角に折った状態をへて重ねた状態にするように、上面側凹部形成案内部６６ａ、６６ｂが設けられている。上面側凹部形成案内部６６ａは、帯状防水シート３０の端側の姿勢を展開した状態から直角に折った状態とする前半部である。上面側凹部形成案内部６６ｂは、帯状防水シート３０の端側の姿勢を直角に折った状態から重ねた状態とする後半部である。
上面側凹部形成案内部６６ａ、６６ｂの長さは、帯状防水シート３０に形成された横手方向折返し重合せ部を３か所から５０か所程度有する長さとする。上面側凹部形成案内部６６ａ、６６ｂの長さが短すぎると、帯状防水シート３０の姿勢変化が急で、当該姿勢変化に伴う帯状防水シート３０の端部の伸びを横手方向折返し重合せ部の伸縮で吸収できず、帯状防水シート３０に塑性変形や破れが生じる。上面側凹部形成案内部６６ａ、６６ｂの長さが長すぎると、製造ラインが長くなって設備コストが増大する。横手方向折返し重合せ部が短いピッチで繰り返される場合は、上面側凹部形成案内部６６ａ、６６ｂの長さを適宜に定めると良い。
【００５１】
下面側凹部折曲げ部６８は、上面側凹部折曲げ部６６に対して、長手方向折返し重合せ部の重ね合わせ部分に相当する距離を離して設けられている。ここでは下面側凹部折目を境として、帯状防水シート３０の中央側の姿勢はそのままとし、帯状防水シート３０の端側の姿勢を展開した状態から直角に折った状態をへて重ねた状態にするように、下面側凹部形成案内部６８ａ、６８ｂが設けられている。下面側凹部形成案内部６８ａは、帯状防水シート３０の端側の姿勢を、展開した状態から直角に折った状態とする前半部である。下面側凹部形成案内部６８ｂは、帯状防水シート３０の端側の姿勢を直角に折った状態から重ねた状態とする後半部である。下面側凹部形成案内部６８ａ、６８ｂの長さは、上面側凹部形成案内部６６ａ、６６ｂの長さと同様に定める。
さらに、下面側凹部折曲げ部６８の下流側に設けられる下流工程（図示せず）には、上面側凹部形成案内部６６ａ、６６ｂによって帯状防水シート３０の端部の延伸された部分を押え付ける押付ベルト（図示せず）が設けられている。折り曲げ工程がすべて終了した後に、折り曲げに伴って延伸された端部を、押付ベルトで押え付けて縮めている。帯状防水シート３０の折り曲げに伴い、長手方向中央部は長手方向に延伸しないが、端部ほど長手方向に延伸しつつ、折り曲げられる為である。なお、押付ベルトに代えて押付ローラーとしてもよい。
【００５２】
下面側凹部形成案内部６８ａは、上面側凹部形成案内部６６ａによって帯状防水シート３０を大略直角に折った状態の位置において、帯状防水シート３０の所定位置の折り曲げを開始する。また、下面側凹部形成案内部６８ｂは、上面側凹部形成案内部６６ｂによって帯状防水シート３０を大略重ねた状態の位置において、帯状防水シート３０の所定位置を直角に折った状態とする。ここで、帯状防水シート３０の所定位置とは、多層防水シート５の下面側凹部の折返し位置より端部側の部位をいう。
下面側凹部形成案内部６８ａは、上面側凹部形成案内部６６ａ、６６ｂによって折り曲げ状態が変化する帯状防水シート３０を、円滑に下面側凹部形成案内部６８ｂに導くような形状をしている。下面側凹部形成案内部６８ｂは、下面側凹部形成案内部６８ａに導く際に生じる帯状防水シート３０の姿勢変化を考慮して、帯状防水シート３０の端部の伸びを横手方向折返し重合せ部の伸縮で吸収できるように、帯状防水シート３０の姿勢に導く形状をしている。
【００５３】
折畳み部は、上面側凹部折曲げ部６６と下面側凹部折曲げ部６８によって形成された長手方向折返し重合せ部の二つを折畳んで仕上げるもので、棟用防水シートの仕上げをおこなう。端処理部は、棟用防水シートの両端に、粘着テープ２５と剥離紙２６を貼付する機能を担当する。
次に、製造ラインを構成するフレーム構造を説明する。図５には、製造ラインの要部として長手方向折目付けロール６４、上面側凹部折曲げ部６６、下面側凹部折曲げ部６８が図示してある。上流側幅方向フレーム６１、下流側幅方向フレーム６２、駆動ベルト案内フレーム６３、及びシート送りフレーム６５は、フレーム構造をなして、堅固に製造ラインを保持する。
【００５４】
上流側幅方向フレーム６１は、長手方向折目付けロール６４と上面側凹部折曲げ部６６の間に設けられている。下流側幅方向フレーム６２は、下面側凹部折曲げ部６８と折畳み部との間に設けてある。駆動ベルト案内フレーム６３は、上流側幅方向フレーム６１と下流側幅方向フレーム６２の間を連絡する流れ方向のフレームと、当該流れ方向のフレームの上に懸架された駆動ベルトを有する。駆動ベルトは、防水シート供給部に設けられた電動モータの駆動力を下流側幅方向フレーム６２の下流側に設けられた折畳み部と端処理部に動力を供給する。シート送りフレーム６５は、上流側幅方向フレーム６１と下流側幅方向フレーム６２の間に設けられたもので、帯状防水シート３０に長手方向折返し重合せ部を形成する役割を担う、上面側凹部折曲げ部６６と下面側凹部折曲げ部６８の支持を行う。
【００５５】
このように構成された装置の動作を次に説明する。
図７は、本発明の棟用防水シートの製造方法を説明する流れ図である。まず、前工程として、アルミ箔と合成樹脂製フィルムを貼り合わせた多層防水シート５を準備する（Ｓ１０２）。この多層防水シート５には、横手方向折返し重合せ部の形成された多層防水シート５を用いるのがよく（Ｓ１０４）、例えば前述のプリーツマシンを用いて皺付けをすると共に、その幅は棟用防水シートの幅に適合するように調節しておくとよい。
【００５６】
続いて、本発明の棟用防水シートの製造装置を用いて、多層防水シート５としての帯状防水シート３０に対して、当該長手方向中央部に沿って左右片部の所定位置に上面側凹部の折曲げ部を形成する（Ｓ１０６）。この工程では、長手方向折目付けロール６４ａによって、帯状防水シート３０における上面側凹部の折目となる位置に折目を付け、次に上面側凹部折曲げ部６６によって、帯状防水シート３０に対して当該長手方向中央部近傍に沿って左右片部の上面側凹部の折目位置に上面側凹部の折曲げ部を形成する。
次に、多層防水シート５に対して、上面側凹部に対して長手方向折返し重合せ部の重ね合わせ部分に相当する距離を離して下面側凹部の折曲げ部を形成する（Ｓ１０８）。この工程では、長手方向折目付けロール６４ｂによって、帯状防水シート３０における下面側凹部の折目となる位置に折目を付け、次に下面側凹部折曲げ部６８によって、帯状防水シート３０に対して下面側凹部の折目に上面側凹部の折曲げ部を形成する。ここで、帯状防水シート３０の折り曲げに伴い、長手方向中央部は長手方向に延伸しないが、端部ほど長手方向に延伸しつつ、折り曲げられている。そこで、折り曲げ工程がすべて終了した後に、押付ベルトでこの端部で生じた長手方向の延伸を縮めるとよい。
最後に、本発明の棟用防水シートの製造装置を用いて、上面側凹部と下面側凹部によって形成された長手方向折返し重合せ部を折畳む（Ｓ１１０）。この折畳み工程の後で、棟用防水シートの両端に、粘着テープ２５と剥離紙２６を貼付する工程を設けて、仕上げると、さらに好ましい。
【００５７】
続いて、本発明の壁際用防水シートの製造装置について説明する。
図８は本発明の壁際用防水シートの製造装置の要部構成斜視図である。図において、壁際用防水シートの製造装置８０は、長手方向折目付けロール８４、上面側凹部折曲げ部８６、下面側凹部折曲げ部８８を備える共に、製造ラインを構成するフレーム構造として上流側幅方向フレーム８１、下流側幅方向フレーム８２、駆動ベルト案内フレーム８３、シート送りフレーム８５が設けられている。また、この棟用防水シートの製造装置８０の上流側には防水シート供給部（図示せず）が設けられ、下流側には、折畳み部（図示せず）、端処理部（図示せず）を備えている。
壁際用防水シートは、長手方向折返し重合せ部が屋根側に位置する片部の一か所しか設けられていない点で、棟用防水シートの左右片部の両方二か所に設けられているものと相違するが、他の点では共通性が多い。そこで、壁際用防水シートの製造装置において、棟用防水シートの製造装置と同一の作用をするものには、同一の名称を付して説明を省略する。
【００５８】
そこで、棟用防水シートの製造装置では二か所の長手方向折返し重合せ部に対応して、長手方向折目付けロール６４、上面側凹部折曲げ部６６、下面側凹部折曲げ部６８、折畳み部も長手方向左右対称となっている。これに対して、壁際用防水シートの製造装置では屋根側に位置する片部の一か所しか長手方向折返し重合せ部が設けられていないため、長手方向折目付けロール８４、上面側凹部折曲げ部８６、下面側凹部折曲げ部８８、折畳み部９０も長手方向の一か所のみ設けられている。シート送りフレーム８５は、壁際用防水シート４０の壁当接側防水シート部４０７と屋根当接側防水シート部４０８となるべき部位に応じて、壁当接側防水シート部の送りフレーム８５ｂと、屋根当接側防水シート部の送りフレーム８５ａで構成される。送りフレーム８５ａには、長手方向折返し重合せ部を帯状防水シート３０に形成するための上面側凹部折曲げ部８６と下面側凹部折曲げ部８８が設けられている。送りフレーム８５ｂには、帯状防水シート３０のまま送る機構となっており、長手方向折返し重合せ部を形成する機構は設けられていない。
【００５９】
このように構成された装置の動作を次に説明する。
図９は、本発明の壁際用防水シートの製造方法を説明する流れ図である。まず、前工程として、アルミ箔と合成樹脂製フィルムを貼り合わせた多層防水シート５を準備する（Ｓ２０２）。この多層防水シート５には、横手方向折返し重合せ部の形成された多層防水シート５を用いるのがよく（Ｓ２０４）、例えば前述のプリーツマシンを用いて皺付けをすると共に、その幅は壁際用防水シートの幅に適合するように調節しておくとよい。
【００６０】
続いて、本発明の壁際用防水シートの製造装置を用いて、多層防水シート５としての帯状防水シート３０に対して、当該長手方向中央部に沿って屋根側に位置する片部の所定位置に上面側凹部の折曲げ部を形成する（Ｓ２０６）。この工程では、長手方向折目付けロール８４ａによって、帯状防水シート３０における上面側凹部の折目となる位置に折目を付け、次に上面側凹部折曲げ部８６によって、帯状防水シート３０に対して当該長手方向中央部近に沿って屋根側に位置する片部の上面側凹部の折目位置に上面側凹部の折曲げ部を形成する。
【００６１】
次に、多層防水シート５に対して、上面側凹部に対して長手方向折返し重合せ部の重ね合わせ部分に相当する距離を離して下面側凹部の折曲げ部を形成する（Ｓ２０８）。この工程では、長手方向折目付けロール８４ｂによって、帯状防水シート３０における下面側凹部の折目となる位置に折目を付け、次に下面側凹部折曲げ部８８によって、帯状防水シート３０に対して下面側凹部の折目に上面側凹部の折曲げ部を形成する。
最後に、本発明の壁際用防水シートの製造装置を用いて、上面側凹部と下面側凹部によって形成された長手方向折返し重合せ部を折畳む（Ｓ２１０）。この折畳み工程の後で、壁際用防水シートの両端に、粘着テープ４５、４７と剥離紙４６、４８を貼付する工程を設けて、仕上げると、さらに好ましい。
【００６２】
以上、添付図面を参照して、この発明の実施形態を説明したが、この発明はかかる実施形態に限定されるものではなく、特許請求の範囲の記載から把握される技術的範囲において種々の形態に変更可能である。例えば、上記実施例においては、屋根用防水シートとして、アルミ箔と合成樹脂製フィルムを貼り合わせた多層防水シートを用いる場合を示したが、合成樹脂製フィルムとしてエラストラマーをアルミ箔シートに積層して用いる場合も、本発明の棟用又は壁際用の防水シートの製造装置を用いてもよい。
エラストラマーを用いる場合には、本発明の前工程であるプリーツ加工の際に加熱温度を８０℃ないし９０℃程度の温度に保持する関係で、プリーツ加工の際に摘みが上手く行われ、皺付け作業が円滑に行われるような工夫が別途必要となる。また、棟用又は壁際用の防水シートにエラストラマーを用いると、顔料の混和に制約が存在するため、黒色以外の朱色、青色、黄色などの各種の色彩や色つき模様を選択する場合は、別途外装材として工夫が別途必要となる。
【符号の説明】
【００６３】
１  焼付樹脂系塗料
２  アルミ箔
３  接着剤（ポリエステル系接着剤、ポリエーテル系接着剤）
４  合成樹脂製フィルム
５  多層防水シート
１０  屋根用防水シート
２０  棟用防水シート
３０  帯状防水シート
４０  壁際用防水シート
６０  棟用防水シートの製造装置
６１、８１  上流側幅方向フレーム
６２、８２  下流側幅方向フレーム
６３、８３  駆動ベルト案内フレーム
６４、８４  長手方向折目付けロール
６５、８５  シート送りフレーム
６６、８６  上面側凹部折曲げ部
６８、８８  下面側凹部折曲げ部
７０、９０  折畳み部
８０  壁際用防水シートの製造装置
Ｌ．長手方向折返し重合せ部（Length direction）
Ｔ．横手方向折返し重合せ部（Transverse direction）
【図１】
2015081498.tif 000003
【図２】
2015081498.tif 000004
【図３】
2015081498.tif 000005
【図４】
2015081498.tif 000006
【図５】
2015081498.tif 000007
【図６】
2015081498.tif 000008
【図７】
2015081498.tif 000009
【図８】
2015081498.tif 000010
【図９】
2015081498.tif 000011
【手続補正書】
【提出日】平成27年1月31日(2015.1.31)
【手続補正１】
【補正対象書類名】特許請求の範囲
【補正対象項目名】全文
【補正方法】変更
【補正の内容】
【特許請求の範囲】
【請求項１】
横手方向折返し重合せ部の形成された多層シートを用いる多層防水シートの製造装置であって、
前記多層防水シートの横手方向の端部を延伸させながら折り曲げ、当該折り曲げ部で重ね合せる折曲げ部重合せ手段と、
前記折曲げ部重合せ手段で重ね合せた前記多層防水シートの横手方向の端部であって、前記多層防水シートの延伸した箇所を縮める延伸部調整手段と、
を備え、前記折曲げ部重合せ手段と前記延伸部調整手段によって、前記多層防水シートに長手方向折返し重合せ部を形成することを特徴とする多層防水シートの製造装置。
【請求項２】
前記多層防水シートは、塗膜アルミ箔と合成樹脂製フィルムを積層した構造、又はエラストマーシートとアルミ箔を積層した構造の少なくとも一方を有することを特徴とする請求項１に記載の多層防水シートの製造装置。
【請求項３】
前記多層防水シートの製造装置は棟用防水シート製造用の装置であって、
前記折曲げ部重合せ手段は、
横手方向折返し重合せ部の形成された前記多層防水シートに対して、当該長手方向中央部近傍に沿って左右片部の所定位置に上面側凹部の折曲げ部を形成する上面側凹部折曲げ部と、
前記上面側凹部折曲げ部に対して、長手方向折返し重合せ部の重ね合わせ部分に相当する距離を離して設けられると共に、前記多層防水シートに対して下面側の凹部折曲げ部を形成する下面側凹部折曲げ部と、
前記上面側凹部折曲げ部と前記下面側凹部折曲げ部によって形成された長手方向折返し重合せ部を折畳む重合せ部折畳み手段と、
を備え、前記上面側凹部折曲げ部と前記下面側凹部折曲げ部は前記多層防水シートの前記横手方向折返し重合せ部の横手方向の端部を延伸させることを含んで前記折曲げ部の形成を行うことを特徴とする請求項１又は２に記載の多層防水シートの製造装置。
【請求項４】
前記上面側凹部折曲げ部は、前記多層防水シートの上面側凹部の折返し位置に折り目を付与する上面側凹部折り目付与部と、前記上面側凹部の折返し位置より端部側の前記多層防水シートを展開した状態から直角に折った状態をへて重ねた状態にする上面側凹部形成案内部とを有すると共に、前記上面側凹部形成案内部の長さは前記多層防水シートに形成された横手方向折返し重合せ部を少なくとも３か所分有することを特徴とする請求項３に記載の多層防水シートの製造装置。
【請求項５】
前記下面側凹部折曲げ部は、前記多層防水シートの下面側凹部の折返し位置に折り目を付与する下面側凹部折り目付与部と、前記下面側凹部の折返し位置より端部側の前記多層防水シートを展開した状態から直角に折った状態をへて重ねた状態にする下面側凹部形成案内部とを有すると共に、前記下面側凹部形成案内部の長さは前記多層防水シートに形成された横手方向折返し重合せ部を少なくとも３か所分有することを特徴とする請求項３又は４に記載の多層防水シートの製造装置。
【請求項６】
前記下面側凹部形成案内部は、
前記上面側凹部形成案内部によって前記多層防水シートを大略直角に折った状態の位置において、前記多層防水シートの所定箇所の折り曲げを開始すると共に、
前記上面側凹部形成案内部によって前記多層防水シートを大略重ねた状態の位置において、前記多層防水シートを直角に折った折り曲げ状態とすることを特徴とする請求項５に記載の多層防水シートの製造装置。
【請求項７】
請求項３乃至請求項６のいずれか一項に記載の棟用防水シートの製造装置において、
前記上面側凹部折曲げ部と前記下面側凹部折曲げ部の後段に、前記上面側凹部折曲げ部又は前記下面側凹部折曲げ部の少なくとも一方によって前記多層防水シートの横手方向の端部が延伸された部分を押え付けて縮める押付ベルト又は押付ローラーを設けたことを特徴とする多層防水シートの製造装置。
【請求項８】
前記多層防水シートの製造装置は壁際用防水シート製造用の装置であって、
前記折曲げ部重合せ手段は、
前記多層防水シートに対して、当該長手方向中央部近傍に沿って屋根側に位置する片部の所定位置に上面側凹部の折曲げ部を形成する上面側凹部折曲げ部と、
前記上面側凹部折曲げ部に対して、長手方向折返し重合せ部の重ね合わせ部分に相当する距離を離して設けられると共に、前記多層防水シートに対して下面側の凹部折曲げ部を形成する下面側凹部折曲げ部と、
前記上面側凹部折曲げ部と前記下面側凹部折曲げ部によって形成された長手方向折返し重合せ部を折畳む重合せ部折畳み手段と、
を備え、前記上面側凹部折曲げ部と前記下面側凹部折曲げ部は前記多層防水シートの前記横手方向折返し重合せ部の横手方向の端部を延伸させることを含んで前記折曲げ部の形成を行うことを特徴とする請求項１又は２に記載の多層防水シートの製造装置。  
【請求項９】
請求項８に記載の多層防水シートの製造装置において、
前記上面側凹部折曲げ部と前記下面側凹部折曲げ部の後段に、前記上面側凹部折曲げ部又は前記下面側凹部折曲げ部の少なくとも一方によって前記多層防水シートの横手方向の端部が延伸された部分を押え付けて縮める押付ベルト又は押付ローラーを設けたことを特徴とする多層防水シートの製造装置。
【請求項１０】
塗膜アルミ箔と合成樹脂製フィルムを積層した構造、又はエラストマーシートとアルミ箔を積層した構造の少なくとも一方を有する多層防水シートを用いると共に、横手方向折返し重合せ部の形成された前記多層防水シートを用いる棟用防水シートの製造方法であって、
前記多層防水シートに対して、当該長手方向中央部に沿って左右片部の所定位置に上面側凹部の折曲げ部を形成する工程と、
前記多層防水シートに対して、前記上面側凹部に対して長手方向折返し重合せ部の重ね合わせ部分に相当する距離を離して下面側凹部の折曲げ部を形成する工程と、
前記上面側凹部と前記下面側凹部によって形成された長手方向折返し重合せ部を折畳む工程と、
を備え、前記上面側凹部折曲げ形成工程と前記下面側凹部折曲げ形成工程は前記多層防水シートの前記横手方向折返し重合せ部の横手方向の端部を延伸させることを含んで前記折曲げ部の形成を行い、
前記重合せ部折畳み工程は、前記多層防水シートの延伸された箇所を縮める延伸部調整を行うことを含むことを特徴とする棟用防水シートの製造方法。
【請求項１１】
塗膜アルミ箔と合成樹脂製フィルムを積層した構造、又はエラストマーシートとアルミ箔を積層した構造の少なくとも一方を有する多層防水シートを用いると共に、横手方向折返し重合せ部の形成された前記多層防水シートを用いる壁際用防水シートの製造方法であって、
前記多層防水シートに対して、これの長手方向中央部近傍に沿って屋根側に位置する片部の所定位置に上面側凹部の折曲げ部を形成する工程と、
前記多層防水シートに対して、前記上面側凹部折曲げ部に対して長手方向折返し重合せ部の重ね合わせ部分に相当する距離を離して下面側凹部の折曲げ部を形成する工程と
前記上面側凹部と前記下面側凹部によって形成された長手方向折返し重合せ部を折畳む工程と、
を備え、前記上面側凹部折曲げ形成工程と前記下面側凹部折曲げ形成工程は前記多層防水シートの前記横手方向折返し重合せ部の横手方向の端部を延伸させることを含んで前記折曲げ部の形成を行い、
前記重合せ部折畳み工程は、前記多層防水シートの延伸された箇所を縮める延伸部調整を行うことを含むことを特徴とする壁際用防水シートの製造方法。
【手続補正２】
【補正対象書類名】明細書
【補正対象項目名】００１１
【補正方法】変更
【補正の内容】
【００１１】
上記課題を解決する本発明の多層防水シートの製造装置は、横手方向折返し重合せ部の形成された多層シートを用いる多層防水シートの製造装置であって、多層防水シート５の横手方向の端部を延伸させながら折り曲げ、当該折り曲げ部で重ね合せる折曲げ部重合せ手段と、前記折曲げ部重合せ手段で重ね合せた多層防水シート５の横手方向の端部であって、多層防水シート５の延伸した箇所を縮める延伸部調整手段とを備え、前記折曲げ部重合せ手段と前記延伸部調整手段によって、多層防水シート５に長手方向折返し重合せ部を形成することを特徴とする。
本発明の棟用防水シートの製造装置において、例えば図１に示すように、好ましくは、多層防水シート５は、塗膜アルミ箔と合成樹脂製フィルムを積層した構造、又はエラストマーシートとアルミ箔を積層した構造の少なくとも一方を有するとよい。
【手続補正３】
【補正対象書類名】明細書
【補正対象項目名】００１２
【補正方法】変更
【補正の内容】
【００１２】
本発明の多層防水シートの製造装置において、例えば図２、図５に示すように、多層防水シートの製造装置は棟用防水シート製造用の装置であって、前記折曲げ部重合せ手段は、横手方向折返し重合せ部の形成された多層防水シート５に対して、当該長手方向中央部近傍に沿って左右片部の所定位置に上面側凹部の折曲げ部を形成する上面側凹部折曲げ部６６と、上面側凹部折曲げ部６６に対して、長手方向折返し重合せ部の重ね合わせ部分に相当する距離を離して設けられると共に、前記多層防水シートに対して下面側の凹部折曲げ部を形成する下面側凹部折曲げ部６８と、上面側凹部折曲げ部６６と下面側凹部折曲げ部６８によって形成された長手方向折返し重合せ部を折畳む手段とを備え、上面側凹部折曲げ部６６と下面側凹部折曲げ部６８は多層防水シート５の横手方向折返し重合せ部の横手方向の端部を延伸させることを含んで前記折曲げ部の形成を行うことを特徴とする。
【手続補正４】
【補正対象書類名】明細書
【補正対象項目名】００１５
【補正方法】変更
【補正の内容】
【００１５】
本発明の多層防水シートの製造装置において、下面側凹部形成案内部（６８ａ、６８ｂ）は、上面側凹部形成案内部６６ａによって多層防水シート５を大略直角に折った状態の位置において、多層防水シート５の所定箇所の折り曲げを開始すると共に、上面側凹部形成案内部６６ｂによって多層防水シート５を大略重ねた状態の位置において、多層防水シート５を直角に折った折り曲げ状態とすることを特徴とする。ここで、前記多層防水シートの所定箇所の折り曲げとは、多層防水シート５の下面側凹部の折返し位置より端部側の部位を折り曲げることをいう。また多層防水シート５を大略重ねた状態とは、多層防水シート５を大略コの形状に成形した状態をいい、折り曲げ箇所から多層防水シート５の厚さを基準に１倍から５倍程度の範囲で離れた位置で、多層防水シート５が接触した状態で折り曲げられて重ねた状態となることをいう。
本発明の多層防水シートの製造装置において、好ましくは、上面側凹部折曲げ部６６と下面側凹部折曲げ部６８の後段に、押付ベルトや押付ローラーを設けるとよい。この押付ベルトや押付ローラーは、これら凹部折曲げ部６６、６８によって多層防水シート５の横手方向の端部が延伸された部分を押え付けて縮める。
【手続補正５】
【補正対象書類名】明細書
【補正対象項目名】００１６
【補正方法】変更
【補正の内容】
【００１６】
上記課題を解決する本発明の多層防水シートの製造装置において、例えば図８に示すように、多層防水シートの製造装置は壁際用防水シート製造用の装置であって、前記折曲げ部重合せ手段は、多層防水シート５に対して、当該長手方向中央部近傍に沿って屋根側に位置する片部の所定位置に上面側凹部の折曲げ部を形成する上面側凹部折曲げ部８６と、上面側凹部折曲げ部８６に対して、長手方向折返し重合せ部の重ね合わせ部分に相当する距離を離して設けられると共に、多層防水シート５に対して下面側の凹部折曲げ部を形成する下面側凹部折曲げ部８８と、上面側凹部折曲げ部８６と下面側凹部折曲げ部８８によって形成された長手方向折返し重合せ部を折畳む手段とを備え、上面側凹部折曲げ部８６と下面側凹部折曲げ部８８は多層防水シート５の横手方向折返し重合せ部の横手方向の端部を延伸させることを含んで前記折曲げ部の形成を行うことを特徴とする。
本発明の多層防水シートの製造装置において、好ましくは、上面側凹部折曲げ部８６と下面側凹部折曲げ部８８の後段に、押付ベルトや押付ローラーを設けるとよい。この押付ベルトや押付ローラーは、これら凹部折曲げ部８６、８８によって多層防水シート５の横手方向の端部が延伸された部分を押え付けて縮める。
【手続補正６】
【補正対象書類名】明細書
【補正対象項目名】００１７
【補正方法】変更
【補正の内容】
【００１７】
上記課題を解決する本発明の棟用防水シートの製造方法は、例えば図７に示すように、塗膜アルミ箔と合成樹脂製フィルムを積層した構造、又はエラストマーシートとアルミ箔を積層した構造の少なくとも一方を有する多層防水シートを用いる（Ｓ１０２）と共に、横手方向折返し重合せ部の形成された多層防水シート５を用いる（Ｓ１０４）棟用防水シートの製造方法であって、次の工程を有することを特徴とする。即ち、多層防水シート５に対して、当該長手方向中央部に沿って左右片部の所定位置に上面側凹部の折曲げ部を形成する工程（Ｓ１０６）と、多層防水シート５に対して、前記上面側凹部に対して長手方向折返し重合せ部の重ね合わせ部分に相当する距離を離して下面側凹部の折曲げ部を形成する工程（Ｓ１０８）と、前記上面側凹部と前記下面側凹部によって形成された長手方向折返し重合せ部を折畳む重合せ部折畳み工程（Ｓ１１０）とを備える。そして、前記上面側凹部折曲げ形成工程と前記下面側凹部折曲げ形成工程は多層防水シート５の前記横手方向折返し重合せ部の横手方向の端部を延伸させることを含んで前記折曲げ部の形成を行い、前記重合せ部折畳み工程は、多層防水シート５の延伸された箇所を縮める延伸部調整を行うことを含むことを特徴とする。好ましくは、折曲げ部を形成する工程と重合せ部折畳み工程との間に、折曲げ部を形成する工程で生じた多層防水シート５の横手方向の端部が延伸された部分を押え付けて縮める工程を設けると良い。
【手続補正７】
【補正対象書類名】明細書
【補正対象項目名】００１８
【補正方法】変更
【補正の内容】
【００１８】
上記課題を解決する本発明の壁際用防水シートの製造方法は、例えば図９に示すように、塗膜アルミ箔と合成樹脂製フィルムを積層した構造、又はエラストマーシートとアルミ箔を積層した構造の少なくとも一方を有する多層防水シートを用いる（Ｓ２０２）と共に、横手方向折返し重合せ部の形成された多層防水シート５を用いる（Ｓ２０４）壁際用防水シートの製造方法であって、次の工程を有することを特徴とする。即ち、多層防水シート５に対して、これの長手方向中央部近傍に沿って屋根側に位置する片部の所定位置に上面側凹部の折曲げ部を形成する工程（Ｓ２０６）と、多層防水シート５に対して、上面側凹部折曲げ部８６に対して長手方向折返し重合せ部の重ね合わせ部分に相当する距離を離して下面側凹部の折曲げ部を形成する工程（Ｓ２０８）と、上面側凹部と下面側凹部によって形成された長手方向折返し重合せ部を折畳む重合せ部折畳み工程（Ｓ２１０）とを備える。そして、前記上面側凹部折曲げ形成工程と前記下面側凹部折曲げ形成工程は多層防水シート５の前記横手方向折返し重合せ部の横手方向の端部を延伸させることを含んで前記折曲げ部の形成を行ない、前記重合せ部折畳み工程は、多層防水シート５の延伸された箇所を縮める延伸部調整を行うことを含むことを特徴とする。好ましくは、折曲げ部を形成する工程と重合せ部折畳み工程との間に、折曲げ部を形成する工程で生じた多層防水シート５の横手方向の端部が延伸された部分を押え付けて縮める工程を設けると良い。